(57)【特許請求の範囲】
【請求項１】
ポリビニルアルコールポリマーからなる水溶性フィルムによって製造され、第一区画および第二区画の少なくとも２つの区画を有する複数区画小袋であって、該複数区画小袋は固体成分及び液体成分からなる組成物を含み、
（ａ）前記第一区画は固体成分を含み、この固体成分は該固体成分の少なくとも１０重量％の水不溶性固体物質を含み、該水不溶性固体物質は、アルミノケイ酸塩よりなる水不溶性構成剤または粘土よりなる水不溶性布地柔軟化剤からなり、
（ｂ）前記第二区画は、該液体成分の少なくとも１０重量％の水溶性香料を含む液体成分を含んでなるものであって、
該液体成分が、該液体成分の１０から２０重量％の溶媒を含み、
該溶媒は、アルコール／水またはアルコールであり、
前記第二区画は気泡を含有し、該気泡は該区画の体積空間の５０％以下の体積を有していることを特徴とする、複数区画小袋。
【請求項２】
前記固体成分が、該固体成分の少なくとも５０重量％の水不溶性固体物質を含む、請求項１に記載の複数区画小袋。
【請求項３】
前記固体成分が、キレート剤、過酸化水素供給源、漂白活性化剤、酵素、増白剤、及び泡抑制剤からなる群から選択される少なくとも１つのメンバーをさらに含む、請求項１または２に記載の複数区画小袋。
【請求項４】
前記液体成分が、更に非イオン系界面活性剤を含む、請求項１〜３のいずれか１項に記載の複数区画小袋。
【発明の詳細な説明】
【０００１】    （発明の分野）
本発明は少なくとも２つの区画を有する小袋に関し、該小袋は固体成分及び液体成分を含む組成物を含み、該固体及び液体成分は異なる区画に含有される。
【０００２】    （発明の背景）
洗濯洗剤製品は現在、固体顆粒組成物及び錠剤、または液体組成物などの多様な形態で市場において見ることができる。これによって消費者は使用できる洗剤製品を選択できる。
【０００３】  洗濯産業界で現在使用されているある種の洗剤成分は、好ましくは固体形態で製造及び加工され、例えば、これらの構成成分は水不溶性であり、液体洗剤組成物に包含するのは困難若しくは費用がかかるので、またはこれらの物質は、好ましくは固体形態で輸送及び供給されるので、したがってそれらを液体洗剤組成物に包含させるには余分な加工段階を必要とする。かかる洗剤成分には界面活性剤が含まれ、そのためこれらの界面活性剤は液体洗剤組成物に確実に含有させるのに余分な加工段階を必要とする。また、ある成分、例えばある種の酵素小球は安定性の理由のため顆粒形態で形成され、固体形態で供給及び加工される。
【０００４】  水不溶固体成分及び界面活性剤など典型的に固体形態で供給される構成成分を液体洗剤組成物に混合する現在の方法としては、乳化剤及び分散剤の使用が挙げられる。しかしながら、これらの液体洗剤組成物はこれらの固体成分を少量のみ含む。例えば、分散剤または乳化剤を使用するなら、液体洗剤成分はアルミノケイ酸塩などのある種の水不溶性構成剤または粘土などの水不溶性織物柔軟化剤を少量のみ含むことができる。
【０００５】  しかしながら、洗剤組成物中に実質的な量の液体洗剤成分と共に高濃度の水不溶性構成剤などの水不溶性固体成分を包含することが望ましい。界面活性剤を含む顆粒を包含する典型的に固体形態で輸送される洗剤成分を、余分な経費及び困難な加工段階を行うこと無く実質的な量の液体成分を含む洗剤成分に混合することも望ましい。
【０００６】  発明者らは、少なくとも２つの別々の区画を含む複数区画水溶性小袋を使用することによって、水不溶性固体洗剤成分は困難であり経費のかかる製造及び加工段階を必要とすること無く、他の液体洗剤成分を含む洗剤組成物に包含させことができるということを見出した。水不溶性固体洗剤成分は複数区画水溶性小袋の１つの区画に含まれるが、液体洗剤成分は該小袋のその他の区画に含まれる。このような方法で複数区画水溶性小袋に含まれる洗剤組成物は、液体洗剤成分とともに水不溶性構成剤などの水不溶性固体洗剤成分を高濃度で含むことができる。
【０００７】  発明者らは、少なくとも２つの別々の区画を含む複数区画水溶性小袋を使用することによって、界面活性剤を含む凝集体などの通常固体形態で洗剤製造に輸送及び供給される洗剤成分を、困難であり経費のかかる製造及び加工段階を必要とすること無く、実質的な量の液体洗剤成分を含む洗剤組成物に包含することができるということも見出した。固体洗剤成分は複数区画水溶性小袋の１つの区画に含まれるが、液体洗剤成分は該小袋のその他の区画に含まれる。
【０００８】    （発明の概要）
本発明の第一実施形態において、水溶性フィルムから製造され、少なくとも２つの区画を有する複数区画小袋は、固体成分及び液体成分を含む組成物を含み、その際；
（ａ）第一区画は（固体成分の）少なくとも１０重量％の水不溶性固体物質を含む固体成分を含み；
（ｂ）第二区画は液体成分を含む。
【０００９】  本発明の第二実施形態において、水溶性フィルムから製造され、少なくとも２つの区画を有する複数区画小袋は、固体成分及び液体成分を含む組成物を含み、その際；
（ａ）第一区画は粒子の少なくとも２０重量％の界面活性剤を含有する（固体成分の）少なくとも１５重量％の粒子を含む固体成分を含み；
（ｂ）第二区画は液体成分を含む。
【００１０】    （発明の詳細な説明）
複数区画小袋及びそれらの物質
本発明の複数区画小袋は、本明細書において「小袋」と呼び、少なくとも２つ、好ましくは２つの区画を備える。
【００１１】  本明細書の小袋は典型的には閉鎖された構造で、以下に記載する物質から製造され、少なくとも２つの区画に分離される体積空間を包含する。本小袋は液体成分及び固体成分を含む組成物を含む。小袋及びそれらの体積空間は、組成物を保持するのに好適な、例えば、小袋が水と接触する以前に小袋から組成物が放出されることのない任意の形態、形、及び物質であることができる。正確な実行は、例えば、小袋の組成物の種類及び量、小袋の区画の数、小袋から組成物を保持、保護、及び運搬、または放出するのに必要とされる特性に依存する。好ましくは、小袋は回転楕円形を有する。
【００１２】  小袋は、必要とされる操作、例えば、１度の洗浄に好適な本明細書の組成物の単位投与量、または部分投与のみのいずれかを簡便に含有するような大きさであってよく、例えば、洗浄するものの大きさ及び／または汚れの程度によって、使用量を変えられる柔軟性を消費者に与える。
【００１３】  小袋は内部体積を包含する水溶性フィルムから製造され、該内部体積は小袋の区画に分割される。
【００１４】  本明細書の小袋の区画は、典型的には洗剤組成物の成分を含む体積空間を包含する水溶性フィルムから製造される閉鎖構造である。小袋の該体積空間は、好ましくは体積空間が外部環境から分離されるような方法で水溶性フィルムによって包含される。
【００１５】  小袋の区画に含まれる固体成分または液体成分は区画の体積空間に含有され、水溶性フィルムによって外部環境から分離される。
【００１６】  用語「分離された」は本発明の目的において、「物理的に明確に、第二成分が第一成分を含有する区画と同じ区画に含まれない場合、区画に含まれる該第一成分が該第二成分と接触するのを防ぐこと」を意味する。
【００１７】  用語「外部環境」は本発明の目的において、「区画を取り囲む物質を通過できない任意のもの及び区画に含まれない任意のもの」を意味する。
【００１８】  区画は、例えば、小袋が水と接触する前に区画から構成成分が放出されることなく、組成物の固体または液体成分を保持するのに好適である。区画は区画の物質の特性、構成成分または組成物の特性、使用の目的及び成分または組成物の量などにより、いずれの形態または形を有することができる。
【００１９】
好ましくは、液体成分を含む区画は気泡も含有し、好ましくは、気泡は該区画の体積空間の５０％以下、好ましくは４０％以下、より好ましくは３０％以下、より好ましくは２０％以下、より好ましくは１０％以下の体積を有する。理論に限定されるものではないが、気泡の存在により区画内の液体構成成分の移動に対する小袋の許容量が増加し、区画からもれる液体構成成分の危険性が低減する。
【００２０】  本小袋は水溶性フィルムから製造され、該水溶性フィルムは典型的に最大孔径５０ミクロンのガラスフィルターを使用した本明細書で以下に挙げる方法、すなわち区画及び／または小袋の物質の水溶性を決定する重量測定法によって測定される少なくとも５０％、好ましくは少なくとも７５％またはさらに少なくとも９５％の溶解度を有し：
測定法において、重量の決定された物質１０グラム±０．１グラムを４００ｍｌビーカーに加え、蒸留水２４５ｍｌ±１ｍｌを加える。これを６００ｒｐｍにセットした磁性攪拌器で３０分間激しく攪拌する。その後、混合物を前記で定義した孔径（最大５０ミクロン）の固定定量ガラスフィルターで濾過する。回収した濾液からいずれかの簡便な方法によって水を乾燥し、残ったポリマーの重量を測定する（それが溶解または分散画分である）。その後、％溶解度または分散度が計算できる。
【００２１】  好ましいフィルムはポリマー物質、好ましくはフィルムまたはシートに形成されるポリマーである。フィルム形態の小袋物質は、当業界において既知の、例えば、ポリマー物質の注型、吹き込み成型、押し出しまたは吹き込み押し出しによって得られる。
【００２２】  好ましいポリマー、コポリマーまたはそれらの誘導体はポリビニルアルコール（ＰＶＡ）、ポリビニルピロリドン、ポリアルキレンオキシド類、アクリルアミド、アクリル酸、セルロース、セルロースエーテル類、セルロースエステル類、セルロースアミド類、ポリビニルアセテート類、ポリカルボン酸類及び塩、ポリアミノ酸類またはペプチド類、ポリアミド類、ポリアクリルアミド、マレイン酸／アクリル酸のコポリマー類、デンプン及びゼラチンを包含する多糖類及びキサンタン及びカラゴムなどの天然ゴム類から選択される。より好ましいポリマー類はポリアクリレート及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類から選択され、最も好ましくはポリビニルアルコール類、ポリビニルアルコールコポリマー類及びヒドロキシメチルセルロース（ＨＰＭＣ）である。好ましくは、フィルムにおけるポリマーの濃度は、例えば、ＰＶＡポリマーについては少なくとも６０％である。
【００２３】  ポリマーは任意の重量平均分子量、好ましくは約１０００〜１，０００，０００、またはさらに１０，０００〜３００，０００、またはさらに１５，０００から２００，０００、またはさらに２０，０００〜１５０，０００を有するものであることができる。
【００２４】  ポリマー混合物を使用することもできる。これは、それらの適用及び要求されるニーズにより、とりわけ区画または小袋の機械的及び／または溶解特性の制御において有益である。例えば、ポリマーの混合物が区画の物質に存在することが好ましく、それによって１つのポリマー物質がその他のポリマー物質より高い水溶性を有し、及び／または１つのポリマー物質がその他のポリマー物質より高い機械的強度を有する。異なった重量平均分子量を有する、例えば、ＰＶＡまたは１０，０００〜４０，０００、好ましくはおよそ２０，０００の重量平均分子量のそれらのコポリマーの混合物、及びＰＶＡまたは約１００，０００〜３００，０００、好ましくはおよそ１５０，０００の重量平均分子量のそれらのコポリマー混合物を使用するのが好ましい。
【００２５】  また、有用なのは、例えば、物質が水分散性、または水溶性である場合、典型的には１〜３５重量％のポリラクチド及びおよそ６５〜９９重量％のポリビニルアルコールを含むポリラクチド及びポリビニルアルコールの混合によって達成されるポリラクチド及びポリビニルアルコールのような加水分解的に分解され、水溶性ポリマー混合物を含むポリマー混合組成物である。
【００２６】  フィルムに存在するポリマーは、フィルムの溶解度を改善するために６０％〜９８％、好ましくは８０％〜９０％加水分解されていることが好ましい。
【００２７】  最も好ましいフィルムは、ＰＶＡポリマーを含むフィルムと同様の特性を有するＰＶＡポリマーを含むフィルム、及びクリス−クラフト・インダストリアル・プロダクツ・オブ・ガリー（Chris-Craft Industrial Products of Gary）（米国、インディアナ州）より販売されている登録商標Ｍ８６３０として既知のフィルムである。
【００２８】  本明細書のフィルムはポリマーまたはポリマー物質以外の他の添加物成分を含んでもよい。例えば、可塑剤、例えば、グリセロール、エチレングリコール、ジエチレングリコール、プロピレングリコール、ソルビトール及びそれらの混合物、付加的な水、分解補助剤を添加することが有益である。本明細書の組成物が洗剤組成物であるとき、フィルム自体が洗浄水に分配されるべき洗剤添加物、例えば、有機ポリマー汚れ放出剤、分散剤、染料付着阻害物質を含むことが有用である。
【００２９】  区画及び好ましくは小袋は全体として水溶性物質から製造される。市販の水溶性物質の好適な実施例としては、ポリビニルアルコール及び部分的に加水分解されたポリビニル酢酸、アルギン酸塩類、カルボキシメチルセルロース及びメチルセルロースなどのセルロースエーテル類、ポリエチレンオキシド、ポリアクリレート類並びにこれらの組み合わせが挙げられる。
【００３０】  組成物
本明細書の小袋は組成物を含み、典型的には該組成物は小袋の体積空間に含有される。
【００３１】  好ましい組成物は、洗浄組成物または布地ケア組成物、好ましくは堅い表面用の洗浄剤、より好ましくは前処理または浸漬組成物及び他のすすぎ添加組成物を包含する洗濯物または皿洗浄組成物である。
【００３２】  典型的には本明細書の組成物は、１つまたは多数の小袋入り組成物が１度の洗浄に十分であるような量の洗浄性組成物を含む。
【００３３】  好ましくは、本明細書の組成物は少なくとも１種の界面活性剤及び少なくとも１種の構成剤を含む。
【００３４】  本組成物は固体成分及び液体成分を含む。第一区画は固体成分を含み、第二区画は液体成分を含むので、固体成分及び液体成分は水溶性フィルムによって分離される。
【００３５】  固体成分
固体成分は小袋の区画に含まれる。該区画は液体成分を含むものとは異なる区画である。
【００３６】  典型的に固体成分は実質的には固体であり、固体成分に含まれる成分の少なくとも９０％、好ましくは少なくとも９５％、より好ましくは少なくとも９８％が固体形態である。好ましくは固体成分は、実質的には液体組成物に包含されるには困難であるか、若しくは費用がかかるいずれかである構成成分、または実質的には液体組成物に包含するために付加的な加工段階を必要とする固体成分として典型的に輸送及び供給される構成成分を含む。
【００３７】  前記固体成分は、（固体成分の）少なくとも１０重量％、より好ましくは少なくとも２０重量％、より好ましくは少なくとも３０重量％、より好ましくは少なくとも４０重量％、より好ましくは少なくとも５０重量％、より好ましくは少なくとも６０重量％、より好ましくは少なくとも７０重量％、より好ましくは少なくとも８０重量％の水不溶性固体物質を含む。
【００３８】  水不溶性固体物質としては水不溶性構成剤が挙げられ、好ましくは水不溶性構成剤はアルミノケイ酸塩、または粘土などの水不溶性織物柔軟化剤である。好ましくは、該水不溶性固体物質は水不溶性構成剤を含む。好ましい水不溶性構成剤を以下により詳細に記載する。
【００３９】  本発明のその他の実施形態において、固体成分は（固体成分の）少なくとも１５重量％、またはさらに少なくとも２０重量％、またはさらに少なくとも２５重量％、またはさらに少なくとも３０重量％、またはさらに少なくとも４０重量％、またはさらに少なくとも５０重量％、またはさらに少なくとも７０重量％の粒子界面活性剤を含む。前記凝集体粒子は、少なくとも２０％、好ましくは少なくとも４０％、より好ましくは少なくとも６０％、より好ましくは少なくとも８０％、より好ましくは少なくとも９０％、より好ましくは少なくとも９５％の界面活性剤を含む。本明細書の使用に典型的な界面活性剤を以下により詳細に記載する。粒子は任意の形、例えば凝集体、噴霧乾燥粒子、押し出し成形体または例えば本質的に界面活性剤からなる界面活性剤の薄片であってもよい。
【００４０】  前記固体成分は、好ましくは構成剤、キレート剤、漂白剤、漂白活性化剤、酵素または酵素小球、増白剤、泡抑制剤及び染料からなる群から選択される少なくとも１つの構成成分を含む。該成分は粒子状成分などの固体形態である。
【００４１】  固体成分の成分の一部または全部は区画に混合される以前に凝集、噴霧乾燥、押し出し成形などで予め顆粒化されないこと、及び成分が乾燥混合粉末構成成分または原料物質であることさえ可能である。例えば、構成成分の６０％未満、またはさらに４０％未満、またはさらに２０％未満が流動性でない予備顆粒化顆粒であることが好ましい。
【００４２】  液体成分
液体成分は小袋の区画に含まれる。該区画は固体成分を含むものとは異なる区画である。
【００４３】  典型的に液体成分は、液体成分に含まれる成分の少なくとも９０％、より好ましくは少なくとも９５％、より好ましくは少なくとも９８％が室温において液体形態であり、実質的には液体である。
【００４４】  本液体成分は、好ましくは（液体成分の）少なくとも１重量％の水溶性香料を含む。液体組成物に含まれる香料の濃度は、好ましくは少なくとも２％、より好ましくは少なくとも５％、より好ましくは少なくとも１０％、より好ましくは少なくとも４０％である。
【００４５】  好ましくは、前記液体成分は溶媒を含む。好ましくは該溶媒はアルコール／水またはアルコールベースの溶媒であり、より好ましくは該溶媒はエタノール及び／またはｎ−ブトキシプロポキシプロパノールを含有する、またはエタノール及び／またはｎ−ブトキシプロポキシプロパノールからなる。好ましくは、前記液体成分は（液体成分の）０．１重量％〜３０重量％、より好ましくは５重量％〜２５重量％、より好ましくは１０重量％〜２０重量％の溶媒を含む。
【００４６】  液体及び固体成分の好ましい構成成分
上記のように、本組成物において液体成分は実質的に液体であり（液体成分は室温において１０％未満、好ましくは５％未満、より好ましくは２％未満の固体形態の物質を含む）、固体成分は実質的に固体である（固体成分は室温において１０％未満、好ましくは５％未満、より好ましくは２％未満の液体形態の物質を含む）。このように、実質的な量の液体成分を含む組成物に包含されるのが困難であるかまたは費用のかかる成分は固体成分に含まれる。本明細書に記載する好ましい量の成分は、全ての組成物の重量％であり、前記成分を含む固体成分または液体成分のいずれかの重量％ではない。
【００４７】  水不溶性構成剤
本明細書の組成物、とりわけ本明細書の組成物の固体成分は好ましくは水不溶性構成剤を含む。
【００４８】  水不溶性ビルダーの例としてはアルミノケイ酸ナトリウムが挙げられる。
【００４９】  好適なアルミノケイ酸ゼオライトは、単位式Ｎａｚ［（ＡｌＯ２）ｚ（ＳｉＯ２）ｙ］．×Ｈ２Ｏを有し、式中ｚ及びｙは少なくとも６；ｚとｙのモル比は１．０〜０．５及びｘは少なくとも５、好ましくは７．５〜２７６、より好ましくは１０〜２６４である。アルミノケイ酸塩物質は水和型であり、好ましくは１０％〜２８％、より好ましくは１８％〜２２％の結合形態の水を含有する結晶である。
【００５０】  アルミノケイ酸ゼオライトは、天然に生じる物質であることができるが、好ましくは合成的に誘導される。合成の結晶性アルミノケイ酸塩イオン交換物質は、名称ゼオライトＡ、ゼオライトＢ、ゼオライトＰ、ゼオライトＸ、ゼオライトＨＳ及びそれらの混合物のもとで入手可能である。ゼオライトＡは以下の式を有する。
【００５１】  Ｎａ１２［ＡｌＯ２）１２（ＳｉＯ２）１２］．ｘＨ２Ｏ
式中、ｘは２０〜３０であり、とりわけ２７である。ゼオライトＸは、式Ｎａ８６  ［（ＡｌＯ２）８６（ＳｉＯ２）１０６］．２７６Ｈ２Ｏを有する。
【００５２】  本明細書の使用に好ましい結晶性層状ケイ酸塩は以下の一般式を有する。
【００５３】  ＮａＭＳｉｘＯ２ｘ＋１．ｙＨ２Ｏ
式中、Ｍはナトリウムまたは水素であり、ｘは１．９から４までの数字であり、ｙは０から２０までの数字である。この種類の結晶性の層状ナトリウムシリケートは欧州特許第０１６４５１４Ａ号に開示されており、その製造法についてはドイツ国特許第３４１７６４９Ａ号及び同第３７４２０４３Ａ号に開示されている。本明細書において、上記一般式のｘは好ましくは２、３または４の値を有し、好ましくは２である。最も好ましい物質は、δ−Ｎａ２Ｓｉ２Ｏ５で、これはヘキストＡＧ（Ｈｏｅｃｈｓｔ  ＡＧ）からＮａＳＫＳ−６として入手できる。
【００５４】  水不溶性布地柔軟化剤
本明細書の組成物、とりわけそれらの固体成分は好ましくは水不溶性布地柔軟化剤を含む。かかる水不溶性布地柔軟化剤としては粘土が挙げられる。好ましくは水不溶性布地柔軟化剤はカチオン系化合物である。好適なカチオン性布地柔軟化剤としては、水不溶性三級アミン類または英国特許第１５１４２７６Ａ号及び欧州特許第００１１３４０Ｂ号に開示されるようなジ長鎖アミド物質類が挙げられる。好ましくは、これらの水不溶性三級アミン類またはジ長鎖アミド物質類は本明細書の組成物の固体成分に含まれる。
【００５５】  洗浄性界面活性剤
非イオン性アルコキシル化界面活性剤
本質的にいずれかのアルコキシル化非イオン性界面活性剤を本明細書の組成物に含むことができる。室温で液体であるそれらの非イオン性界面活性剤は好ましくは液体成分に包含される。エトキシ化及びプロポキシル化非イオン性界面活性剤が好ましい。好ましいアルコキシル化界面活性剤はアルキルフェノール類の非イオン性縮合物、非イオン性エトキシ化アルコール類、非イオン性エトキシ化／プロポキシル化脂肪族アルコール類、プロピレングリコールと非イオン性エトキシレート／プロポキシレートの縮合物、及びプロピレンオキシド／エチレンジアミン添加物と非イオン性エトキシレートとの縮合生成物の部類から選択することができる。
【００５６】  非常に好ましいのは１〜７５モル、特に約５０または１〜１５モル、好ましくは１１モルまでのアルキレンオキシドと脂肪族アルコールの縮合生成物であり、特にエチレンオキシド及び／またはプロピレンオキシドが非常に好ましい非イオン性界面活性剤である。脂肪族アルコールのアルキル鎖は直鎖状または分枝状、一級または二級であることができ、一般的には６〜２２個の炭素原子を含有する。特に好ましいのは、８〜２０個の炭素原子を含有するアルキル基を有するアルコール類と、アルコール１モルについて２〜９モル及び特に３〜５モルのエチレンオキシドとの縮合生成物である。
【００５７】  非イオン性ポリヒドロキシ脂肪酸アミド界面活性剤
ポリヒドロキシ脂肪酸アミド類は本組成物に含まれる非常に好ましい非イオン性界面活性剤であり、特に構造式Ｒ２ＣＯＮＲ１Ｚを有するものが好ましく、式中、Ｒ１はＨ、Ｃ１〜１８、好ましくはＣ１〜Ｃ４ヒドロカルビル、２−ヒドロキシエチル、２−ヒドロキシプロピル、エトキシ、プロポキシ、またはこれらの混合物であり、好ましくはＣ１〜Ｃ４アルキル、より好ましくはＣ１若しくはＣ２アルキル、最も好ましくはＣ１アルキル（すなわち、メチル）、及びＲ２はＣ５〜Ｃ３１ヒドロカルビル、好ましくは直鎖Ｃ５〜Ｃ１９若しくはＣ７〜Ｃ１９アルキル若しくはアルケニル、より好ましくは直鎖Ｃ９〜Ｃ１７アルキル若しくはアルケニル、最も好ましくは直鎖Ｃ１１〜Ｃ１７アルキル若しくはアルケニル、またはこれらの混合物であり、Ｚは鎖に直接少なくとも３個のヒドロキシルが結合した直鎖ヒドロカルビルを有するポリヒドロキシヒドロカルビル、またはこれらのアルコキシル化（好ましくはエトキシ化若しくはプロポキシル化）誘導体である。Ｚは好ましくは還元型アミノ化反応において還元糖から誘導され、より好ましくはＺはグリシチルである。
【００５８】  本明細書の使用に非常に好ましい非イオン性ポリヒドロキシ脂肪酸アミド界面活性剤は、Ｃ１２〜Ｃ１４、Ｃ１５〜Ｃ１７及び／またはＣ１６〜Ｃ１８アルキルＮ−メチルグルカミドである。
【００５９】  本明細書の組成物は、Ｃ１２〜Ｃ１８アルキルＮ−メチルグルカミド、並びに８〜２０個の炭素原子を含有するアルキル基を有するアルコールと、アルコール１モルについて２〜９モル及び特に３〜５モルのエチレンオキシドとの縮合生成物の混合物を含むのが特に好ましい。
【００６０】  ポリヒドロキシ脂肪酸アミドはいずれかの好適な工程によって調製できる。特に好ましい１つの工程が国際特許第９２０６９８４号に詳細に記載されている。約９５重量％のポリヒドロキシ脂肪酸アミドを含み、脂肪酸エステル類及び環状アミド類などの望ましくない不純物が低濃度であり、典型的には約８０℃より高い温度で溶融される製品をこの工程で生成できる。
【００６１】  非イオン性脂肪酸アミド界面活性剤
脂肪酸アミド界面活性剤またはアルコキシル化脂肪酸アミド類も本明細書の組成物に含むことができる。それらは以下の式を有するものを包含する。Ｒ６ＣＯＮ（Ｒ７）（Ｒ８）、式中、Ｒ６は７〜２１個、好ましくは９〜１７個の炭素原子またはさらに好ましくは１１〜１３個の炭素原子を含有するアルキル基であり、Ｒ７及びＲ８はそれぞれ独立して水素、Ｃ１〜Ｃ４アルキル、Ｃ１〜Ｃ４ヒドロキシアルキル、及び−（Ｃ２Ｈ４Ｏ）ｘＨからなる群から選択され、その際ｘは１〜１１、好ましくは１〜７、より好ましくは１〜５の範囲であり、Ｒ７はＲ８とは異なるものであり、１または２であるｘを有するもの、３〜１１または好ましくは５であるｘを有するものが好ましい。
【００６２】  脂肪酸界面活性剤の非イオン性アルキルエステル類
脂肪酸類のアルキルエステル類を本明細書の組成物に含むこともできる。それらは以下の式を有するものを包含する。Ｒ９ＣＯＯ（Ｒ１０）、式中、Ｒ９は７〜２１個、好ましくは９〜１７個の炭素またはさらに好ましくは１１〜１３個の炭素原子を含有するアルキル基、及びＲ１０はＣ１〜Ｃ４アルキル、Ｃ１〜Ｃ４ヒドロキシアルキル、または−（Ｃ２Ｈ４Ｏ）ｘＨであり、その際ｘは１〜１１、好ましくは１〜７、より好ましくは１〜５の範囲であり、それゆえＲ１０はメチルまたはエチル基であることが好ましい。
【００６３】  非イオン性アルキル多糖類界面活性剤
６〜３０個の炭素原子を含有する疎水性基及び多糖類、例えば、１．３〜１０個の糖単位を含有する親水性基を有するポリグリコシドを有する米国特許４，５６５，６４７号（１９８６年１月２１日発行、レナドー）に開示されているようなアルキル多糖類を本明細書の組成物に含むことができる。
【００６４】  好ましいアルキルポリグリコシド類は次式を有する。
【００６５】  Ｒ２Ｏ（ＣｎＨ２ｎＯ）ｔ（グリコシル）ｘ
式中、Ｒ２はアルキル、アルキルフェニル、ヒドロキシアルキル、ヒドロキシアルキルフェニル、及びこれらの混合物からなる群から選択され、その際アルキル基は１０〜１８個の炭素原子を含有し、ｎは２または３、ｔは０〜１０、及びｘは１．３〜８である。グリコシルは好ましくはグルコースから誘導される。
【００６６】  ポリエチレン／プロピレングリコール類
本明細書の組成物は特に分子量１０００〜１００００、より特に２０００〜８０００、最も好ましくは約４０００のポリエチレン及び／またはプロピレングリコールを含むことができる。
【００６７】  アニオン性界面活性剤
本明細書の組成物は好ましくは１つ以上のアニオン性界面活性剤を含む。洗浄の目的に有用ないずれのアニオン性界面活性剤も好適である。例としては、アニオン性スルフェート、スルホネート、カルボキシレート及びサルコシネート界面活性剤の塩（例えば、ナトリウム、カリウム、アンモニウム、並びにモノー、ジ−及びトリエタノールアミン塩のような置換型アンモニウム塩）が挙げられる。アニオン性スルフェート界面活性剤が好ましい。
【００６８】  他のアニオン性界面活性剤としては、アシルイセチオネートなどのイセチオネート類、Ｎ−アシルタウレート類、メチルタウリドの脂肪酸アミド類、アルキルコハク酸塩及びスルホコハク酸塩、スルホコハク酸塩のモノエステル類（とりわけ飽和型及び不飽和型Ｃ１２〜Ｃ１８モノエステル類）スルホコハク酸塩のジエステル類（とりわけ飽和型及び不飽和型Ｃ６〜Ｃ１４ジエステル類）、Ｎ−アシルサルコシン酸塩類が挙げられる。ロジン、水素添加ロジンなどの樹脂酸及び水素添加樹脂酸もまた好適で、樹脂酸及び水素添加樹脂酸は獣脂油に存在または由来する。
【００６９】  アニオン性スルフェート界面活性剤
本明細書の使用に好適なアニオン性スルフェート界面活性剤としては、直鎖状及び分枝状一級及び二級アルキルスルフェート類、アルキルエトキシスルフェート類、脂肪オレオイルグリセロールスルフェート類、アルキルフェノールエチレンオキシドエーテルスルフェート類、Ｃ５〜Ｃ１７アシル−Ｎ−（Ｃ１〜Ｃ４アルキル）及び−Ｎ−（Ｃ１〜Ｃ２ヒドロキシアルキル）グルカミンスルフェート、及びアルキルポリグルコシド（本明細書に記載する非スルフェート化非イオン性化合物）のスルフェートなどのアルキル多糖類のスルフェートが挙げられる。
【００７０】  アルキルスルフェート界面活性剤は、好ましくは直鎖状及び分枝状一級Ｃ９〜Ｃ２２アルキルスルフェート類、より好ましくはＣ１１〜Ｃ１５分枝鎖アルキルスルフェート類及びＣ１２〜Ｃ１４直鎖アルキルスルフェート類から選択される。
【００７１】  アルキルエトキシスルフェート界面活性剤は、好ましくは１分子について０．５〜５０モルのエチレンオキシドでエトキシ化されたＣ１０〜Ｃ１８アルキルスルフェート類からなる群から選択される。より好ましくは、アルキルエトキシスルフェート界面活性剤は１分子について０．５〜７、好ましくは１〜５モルのエチレンオキシドでエトキシ化されたＣ１１〜Ｃ１８、最も好ましくはＣ１１〜Ｃ１５アルキルスルフェートである。
【００７２】  アニオン性スルホネート界面活性剤
本明細書の使用に好適なアニオン性スルホネート界面活性剤としては、Ｃ５〜Ｃ２０直鎖状または分枝状アルキルベンゼンスルホネート類、アルキルエステルスルホネート類、特にメチルエステルスルホネート類、Ｃ６〜Ｃ２２一級または二級アルカンスルホネート類、Ｃ６〜Ｃ２４オレフィンスルホネート類、スルホン化ポリカルボン酸類、アルキルグリセロールスルホネート類、脂肪族アシルグリセロールスルホネート類、脂肪族オレイルグリセロールスルホネート類、及び任意のこれらの混合物の塩が挙げられる。
【００７３】  アニオン性カルボキシレート界面活性剤
好適なアニオン性カルボキシレート界面活性剤としては、アルキルエトキシカルボキシレート類、アルキルポリエトキシポリカルボキシレート界面活性剤及び石鹸（「アルキルカルボキシ類」）、とりわけ本明細書に記載した二級石鹸が挙げられる。
【００７４】  好適なアルキルエトキシカルボキシレート類としては、式、ＲＯ（ＣＨ２ＣＨ２Ｏ）ｘＣＨ２ＣＯＯ−Ｍ＋を有するものが挙げられ、式中、ＲはＣ６〜Ｃ１８アルキル基であり、ｘは０〜１０、及びエトキシレート分布は重量ベースでｘが０である物質の量が２０％未満になるものであり、Ｍはカチオンである。好適なアルキルポリエトキシポリカルボキシレート界面活性剤としては、式、ＲＯ−（ＣＨＲ１−ＣＨＲ２−Ｏ）ｘ−Ｒ３を有するものが挙げられ、式中、ＲはＣ６〜Ｃ１８アルキル基、ｘは１〜２５、Ｒ１及びＲ２は水素、メチル酸ラジカル、コハク酸ラジカル、ヒドロキシコハク酸ラジカル、及びそれらの混合物からなる群から選択され、Ｒ３は水素、１〜８個の炭素原子を有する置換型または非置換型炭化水素、及びこれらの混合物からなる群から選択される。
【００７５】  好適な石鹸界面活性剤としては、二級炭素に結合されたカルボキシル単位を含有する二級石鹸界面活性剤が挙げられる。本明細書の使用に好ましい二級石鹸界面活性剤は、２−メチル−１−ウンデカン酸、２−エチル−１−デカン酸、２−プロピル−１−ノナノン酸、２−ブチル−１−オクタン酸及び２−ペンチル−１−ヘプタン酸の水溶性塩からなる群から選択される水溶性メンバーである。ある石鹸は泡抑制剤として包含されてもよい。
【００７６】  アルカリ金属サルコシン酸界面活性剤
他の好適なアニオン性界面活性剤は、式、Ｒ−ＣＯＮ（Ｒ１）ＣＨ２ＣＯＯＭのアルカリ金属サルコシン酸であり、式中、ＲはＣ５〜Ｃ１７直鎖状または分枝状アルキルまたはアルケニル基であり、Ｒ１はＣ１〜Ｃ４アルキル基であり、Ｍはアルカリ金属イオンである。好ましい例は、ナトリウム塩の形態であるミリスチル及びオレオイルメチルサルコシネート類である。
【００７７】  カチオン性界面活性剤
その他の好ましい界面活性剤はカチオン性界面活性剤であり、本明細書の組成物の０．１重量％〜６０重量％、より好ましくは０．４重量％〜２０重量％、最も好ましくは重量の０．５重量％〜５重量％の濃度で存在することができる。
【００７８】  存在する時、アニオン性界面活性剤とカチオン性界面活性剤の比は、好ましくは３５：１〜１：３、より好ましくは１５：１〜１：１、最も好ましくは１０：１〜１：１である。
【００７９】  好ましくは、カチオン性界面活性剤はカチオン性エステル界面活性剤、カチオン性モノアルコキシル化アミン界面活性剤、カチオン性ビス−アルコキシル化アミン界面活性剤及びこれらの混合物からなる群から選択される。
【００８０】  カチオン性モノアルコキシル化アミン界面活性剤
本明細書の使用に好ましいカチオン性モノアルコキシル化アミン界面活性剤は以下の一般式を有し、
【化１】
0005490344.tif 000002
式中、Ｒ１は約６〜約１８個の炭素原子、好ましくは６〜約１６個、最も好ましくは約６〜約１１個の炭素原子を含有するアルキルまたはアルケニル部分；Ｒ２及びＲ３はそれぞれ独立して１〜約３個の炭素原子を含有するアルキル基で、好ましくはメチル；Ｒ４は水素（好ましい）、メチル及びエチルから選択され、Ｘ−は塩素、臭素、メチルスルフェート、スルフェート、または電気的中性を提供する同類のものなどのアニオン；ＡはＣ１〜Ｃ４アルコキシ、とりわけエトキシ（すなわち、−ＣＨ２ＣＨ２Ｏ−）、プロポキシ、ブトキシ及びこれらの混合物から選択され；及びｐは１〜約３０、好ましくは１〜約１５、最も好ましくは１〜約８である。
【００８１】  本明細書の使用に非常に好ましいカチオン性モノアルコキシル化アミン界面活性剤は以下の式であり、
【化２】
0005490344.tif 000003
式中、Ｒ１はＣ６〜１８ヒドロキシカルビル及びこれらの混合物、好ましくはＣ６〜１４、とりわけＣ６〜Ｃ１１アルキル、好ましくはＣ８及びＣ１０アルキル、及びＸは電気平衡を提供するいずれかの適切なアニオン、好ましくは塩素または臭素である。
【００８２】  記載した様に、前述の種類の化合物としては、エトキシ（ＣＨ２ＣＨ２Ｏ）単位（ＥＯ）がブトキシ、イソプロポキシ［ＣＨ（ＣＨ３）ＣＨ２Ｏ］及び［ＣＨ２ＣＨ（ＣＨ３Ｏ］単位（ｉ−Ｐｒ）若しくはｎ−プロポキシ単位（Ｐｒ）、またはＥＯ及び／若しくはＰｒ及び／若しくはｉ−Ｐｒ単位の混合物で置きかえられるものが挙げられる。
【００８３】  カチオン性ビスアルコキシル化アミン界面活性剤
本明細書に使用するカチオン性ビスアルコキシル化アミン界面活性剤は以下の一般式を有し、
【化３】
0005490344.tif 000004
式中、Ｒ１は約６〜約１８個の炭素原子、好ましくは約６〜約１６個、より好ましくは６〜約１１個、最も好ましくは約８〜約１０個の炭素原子を含有するアルキルまたはアルケニル部分；Ｒ２は１〜３個の炭素原子を含有するアルキル基で、好ましくはメチル；Ｒ３及びＲ４は独立して変化することができ、水素（好ましい）、メチル、及びエチルから選択され、Ｘ−は塩素、臭素、メチルスルフェート、スルフェートまたは電気的中性を提供するのに十分なその他同類のものなどのアニオンである。Ａ及びＡ’は独立して変化することができ、それぞれＣ１〜Ｃ４アルコキシ、とりわけエトキシ、（すなわち、−ＣＨ２ＣＨ２Ｏ−）、プロポキシ、ブトキシ及びこれらの混合物から選択され；ｐは１〜約３０、好ましくは１〜約４及びｑは１〜約３０、好ましくは１〜約４、及び最も好ましくはｐ及びｑは両方とも１である。
【００８４】  本明細書の使用に非常に好ましいカチオン性ビスアルコキシル化アミン界面活性剤は以下の式であり、
【化４】
0005490344.tif 000005
式中、Ｒ１はＣ６〜Ｃ１８ヒドロキシカルビル及びこれらの混合物、好ましくはＣ６、Ｃ８、Ｃ１０、Ｃ１２、Ｃ１４アルキル及びこれらの混合物である。Ｘは電荷平衡を提供する適切なアニオン、好ましくは塩素である。上記の一般的なカチオン性ビスアルコキシル化アミン構造に関して、好ましい化合物において、Ｒ１は（ココナツ）Ｃ１２〜Ｃ１４アルキル分画脂肪酸に由来するので、Ｒ２はメチルであり、ＡｐＲ３及びＡ’ｑＲ４はそれぞれモノエトキシである。
【００８５】  本明細書に有用な他のカチオン性ビスアルコキシル化アミン界面活性剤は以下の式の化合物を包含し、
【化５】
0005490344.tif 000006
式中、Ｒ１はＣ６〜Ｃ１８ヒドロキシカルビル、好ましくはＣ６〜Ｃ１４アルキル、独立してｐは１〜約３、及びｑは１〜約３、Ｒ２はＣ１〜Ｃ３アルキル、好ましくはメチル、及びＸはアニオン、とりわけ塩素または臭素である。
【００８６】  前述の種類の他の化合物としては、エトキシ（ＣＨ２ＣＨ２Ｏ）単位（ＥＯ）がブトキシ、イソプロポキシ［ＣＨ（ＣＨ３）ＣＨ２Ｏ］及び［ＣＨ２ＣＨ（ＣＨ３Ｏ］単位（ｉ−Ｐｒ）若しくはｎ−プロポキシ単位（Ｐｒ）、またはＥＯ及び／若しくはＰｒ及び／若しくはｉ−Ｐｒ単位の混合物で置きかえられるものが挙げられる。
【００８７】  両性界面活性剤
本明細書の使用に好適な両性界面活性剤としては、アミンオキシド界面活性剤及びアルキルアンフォカルボン酸類が挙げられる。
【００８８】  好適なアミンオキシドには、式、Ｒ３（ＯＲ４）ｘＮＯ（Ｒ５）２を有する化合物が挙げられ、式中、Ｒ３は、８〜２６の炭素原子を含有するアルキル、ヒドロキシアルキル、アシルアミドプロポイル及びアルキルフェニル基、若しくはそれらの混合物から選択され、Ｒ４は、２〜３の炭素原子を含有するアルキレン基若しくはヒドロキシアルキレン基、若しくはそれらの混合物であり、ｘは０〜５、好ましくは０〜３であり、Ｒ５はそれぞれ、１〜３を含有するアルキル若しくはヒドロキシアルキル基、または１〜３のエチレンオキシド基を含有するポリエチレンオキシド基である。好ましいのは、Ｃ１０〜Ｃ１８のアルキルジメチルアミンオキシド、及びＣ１０〜１８のアシルアミドアルキルジメチルアミンオキシドである。
【００８９】  アルキルアホジカルボン酸の好適な例は、ミラノール（Miranol）社（ニュージャージー州、デイトン）により製造されているミラノール（商標）Ｃ２Ｍ濃縮型である。
【００９０】  双極性界面活性剤
双極性界面活性剤も本明細書の組成物に含むことができる。これらの界面活性剤は二級及び三級アミン類の誘導体、複素環式二級及び三級アミン類の誘導体、または四級アンモニウム、四級ホスホニウム若しくは三級スルホニウム化合物の誘導体として広く記載されることができる。ベタイン及びスルタイン界面活性剤は本明細書の使用に代表的な双極性界面活性剤である。
【００９１】  好適なベタインは、式、Ｒ（Ｒ’）２Ｎ＋Ｒ２ＣＯＯ−を有する化合物であり、式中、Ｒは、Ｃ６〜Ｃ１８のヒドロカルビル基であり、それぞれ、Ｒ１は通常、Ｃ１〜Ｃ３のアルキル、及びＲ２はＣ１〜Ｃ５のヒドロカルビル基である。好ましいベタインは、Ｃ１２〜１８のジメチル−アンモニオヘキサノエートベタイン及びＣ１０〜１８のアシルアミドプロパン（またはエタン）ジメチル（またはジエチル）ベタインである。錯体ベタイン界面活性剤も本明細書での使用に好適である。
【００９２】  水溶性構成剤
本明細書の組成物は水溶性構成剤を含むことができ、典型的には組成物または粒子の０重量％〜３６重量％、好ましくは１重量％〜３５重量％、より好ましくは１０重量％〜３５重量％、さらにより好ましくは１２重量％〜３０重量％の濃度で存在する。好ましくは、水溶性ビルダー化合物は前記濃度で存在するホスフェートのアルカリまたはアルカリ土類金属塩である。
【００９３】  他の典型的な水溶性構成剤としては、水溶性モノマーポリカルボキシレート、またはそれらの酸の形態、２個以下の炭素原子、ホウ酸、ホスフェート、及び前述のいずれかの混合物によってそれぞれ分離される少なくとも２つのカルボキシルラジカルを含むホモ若しくはコポリマーポリカルボン酸またはそれらの塩が挙げられる。
【００９４】  モノマーのポリカルボキシレートがコスト及び性能という理由で一般に好まれるが、カルボキシレートまたはポリカルボキシレートのビルダーは、モノマーであってもオリゴマーであってもよい。
【００９５】  カルボキシ基を含有する好適なカルボキシレートには、乳酸の水溶性塩、グリコール酸の水溶性塩及びそのエーテル誘導体が挙げられる。２つのカルボキシ基を含有するポリカルボキシレートには、コハク酸、マロン酸、（エチレンジオキシ）二酢酸、マレイン酸、ジグリコール酸、酒石酸、タルトロン酸及びフマル酸の水溶性塩、並びにエーテルカルボキシレート類及びスルフィニルカルボキシレート類が挙げられる。３つのカルボキシ基を含有するポリカルボキシレートには、特に、水溶性シトレート類、アコニトレート類及びシトラコネート類、並びに英国特許第１，３７９，２４１号に記載されるカルボキシメチルオキシスクシネートのようなスクシネート誘導体、英国特許第１，３８９，７３２号に記載されるラクトキシスクシネート、及びオランダ特許第７２０５８７３号に記載されるアミノスクシネート、及び英国特許第１，３８７，４４７号に記載される２−オキサ−１，１，３−プロパントリカルボキシレートのようなオキシポリカルボキシレート物質が挙げられる。
【００９６】  ４つのカルボキシ基を含有するポリカルボキシレートには、英国特許第１，２６１，８２９号で開示されたオキシジスクシネート、１，１，２，２−エタンテトラカルボキシレート類、１，１，３，３−プロパンテトラカルボキシレート類及び１，１，２，３−プロパンテトラカルボキシレート類が挙げられる。スルホ置換基を含有するポリカルボキシレートには、英国特許第１，３９８，４２１号及び同第１，３９８，４２２号及び米国特許第３，９３６，４４８号で開示されたスルホサクシネート誘導体、並びに英国特許第１，４３９，０００号で開示されたスルホン化し加熱脱水されたシトレート類が挙げられる。好ましいポリカルボキシレート類は、分子当り３つまでのカルボキシ基を含有するヒドロキシカルボキシレート類であり、さらに特にはシトレート類である。
【００９７】  水溶性ホスフェートビルダーの好適な例は、アルカリ金属トリポリホスフェート類、ナトリウム、カリウム及びアンモニウムピロホスフェート、ナトリウム及びカリウム及びアンモニウムピロホスフェート、ナトリウム及びカリウムオルトホスフェート、重合度が約６〜２１であるナトリウムポリメタ／ホスフェート、並びにフィチン酸の塩である。
【００９８】  過酸化物源
その他の好ましい構成成分は過炭酸塩、特にナトリウム塩などの過水和物漂白剤、及び／または有機オキシ酸漂白剤前駆体である。小袋または区画はＰＶＡなどのフリーのヒドロキシ基を有する物質から形成される時、好ましい漂白剤は過炭酸塩を含み及び好ましくはいずれの過ホウ酸塩またはホウ酸塩も含まないことが見出された。ホウ酸類及び過ホウ酸類はこれらのヒドロキシ含有物質と相互に作用し、物質の溶解性を低減し、また性能も低減することが認められている。
【００９９】  無機過水和物塩は過酸化水素の好ましい供給源である。好ましくはこれらの塩は、組成物または構成成分の０．０１重量％〜５０重量％、より好ましくは０．５重量％〜３０重量％の濃度で存在する。
【０１００】  無機過水和物塩の実施例としては、過炭酸、過ホスフェート、過スルフェート、及び過珪酸塩が挙げられる。無機通水和物塩は通常アルカリ金属塩である。無機過水和物塩は追加的な保護をしない結晶性固体として包含され得る。しかしながら、特定の過水和物塩については、顆粒状組成物のような好ましい実行が、顆粒状製品の中で過水和物塩にさらに良好な保存安定性を提供する物質の被覆形態を利用する。好適なコーティングはアルカリ金属ケイ酸塩、炭酸塩、ホウ酸塩、若しくはこれらの混合物などの無機塩、または、ろう、油、若しくは脂肪性石鹸などの有機物質を含む。
【０１０１】  アルカリ金属過炭酸塩、特に過炭酸ナトリウムは本明細書に好ましい過水和物である。過炭酸ナトリウムは、２Ｎａ２ＣＯ３．３Ｈ２Ｏ２に相当する式を有する追加の化合物であり、結晶固体として入手可能である。
【０１０２】  ペルオキシモノパースルフェートカリウムは本明細書の組成物において使用するその他の無機過水和物塩である。
【０１０３】  漂白剤／漂白活性化剤
本明細書の組成物は、好ましくは漂白活性化剤、好ましくは有機過オキシ酸漂白剤前駆体を含む漂白活性化剤を含む。組成物は少なくとも２つの過オキシ酸漂白剤前駆体、好ましくは本明細書で定義したような少なくとも１つの疎水性過オキシ酸漂白剤前駆体及び少なくとも１つの親水性過オキシ酸漂白剤前駆体を含むことが好ましい。前駆体と過酸化水素の供給源との原位置の反応を介して、有機過オキシ酸が生産される。
【０１０４】  漂白活性化剤は別の方法として、または追加で予備形成過オキシ酸漂白剤を含んでもよい。
【０１０５】  好ましくは少なくとも１つの漂白活性化剤、好ましくは重量による平均粒度６００ミクロン〜１４００ミクロン、好ましくは７００ミクロン〜１１００ミクロンを有する過オキシ酸漂白剤前駆体が本明細書の組成物に存在する。
【０１０６】  これによって、構成成分または漂白活性化剤を含む構成成分の少なくとも８０％、好ましくは少なくとも９０％、さらに少なくとも９５％、さらに実質的に１００％が３００ミクロン〜１７００ミクロン、好ましくは４２５ミクロン〜１４００ミクロンの粒度を有するのが好ましい。
【０１０７】  疎水性過オキシ酸漂白剤前駆体は、好ましくは本明細書に記載する様に、オキシベンゼンスルホネート基、好ましくはＮＯＢＳ、ＤＯＢＳ、ＬＯＢＳ及び／またはＮＡＣＡ−ＯＢＳを含む。
【０１０８】  親水性過オキシ酸漂白剤前駆体は、好ましくは本明細書に記載する様にＴＡＥＤを含む。
【０１０９】  有機過オキシ酸漂白系
本明細書の組成物は、好ましくは有機過オキシ酸前駆体を含む。かかる前駆体と過炭酸塩供給源との原位置の反応を介して、有機過オキシ酸が生産されてもよい。代わりの好ましい実行において予備形成有機過オキシ酸は本組成物に直接混合される。
【０１１０】  過オキシ酸漂白剤前駆体
過オキシ酸漂白剤前駆体は、過オキシ酸を生成するための過加水分解反応において過酸化水素と反応する化合物である。一般的には過オキシ酸漂白剤前駆体は以下に相当してもよく、
【化６】
0005490344.tif 000007
式中、Ｌは脱離基であり、Ｘは本質的にいずれかの官能基である。過水和において生成される過オキシ酸の構造は以下である。
【０１１１】
【化７】
0005490344.tif 000008
好適な過オキシ酸漂白剤前駆体化合物は、典型的には、１つ以上のＮ−またはＯ−アシル基を含有し、前駆体は幅広い範囲の部類から選択することができる。好適な部類としては、無水物、エステル類、イミド類、ラクタム類、並びにイミダゾール類及びオキシム類のアシル化誘導体が挙げられる。これらの部類の有用な物質の例は、英国特許第１５８６７８９Ａ号に開示されている。好適なエステル類は、英国特許第８３６９８８Ａ号、第８６４７９８Ａ号、第１１４７８７１Ａ号、第２１４３２３１Ａ号、及び欧州特許第０１７０３８６Ａに開示されている。
【０１１２】  脱離基
脱離基、以後、Ｌ基は、最適な時間枠（例えば、洗濯サイクル）の中で起きるように過加水分解反応に対して十分に反応性でなければならない。しかしながら、Ｌに反応性がありすぎる場合、この活性化剤は本明細書の使用において安定化することが難しい。
【０１１３】  好ましいＬ基は、
【化８】
0005490344.tif 000009
及びこれらの混合物からなる群から選択され、式中、Ｒ１は１〜１４個の炭素原子を含有するアルキル、アリール、またはアルカリール基であり、Ｒ３は１〜８個の炭素原子を含有するアルキル鎖であり、Ｒ４はＨまたはＲ３、及びＹはＨまたは可溶性基である。Ｒ１、Ｒ３、及びＲ４のいずれも本質的に、例えば、アルキル、ヒドロキシ、アルコキシ、ハロゲン、アミン、ニトロシル、アミド、及びアンモニウム、またはアルキルアンモニウム基を包含する任意の官能基で置換されてもよい。
【０１１４】  好ましい可溶化基は、−ＳＯ３−Ｍ＋、−ＣＯ２−Ｍ＋、−ＳＯ４−Ｍ＋、−Ｎ＋（Ｒ３）４Ｘ−及びＯ←Ｎ（Ｒ３）３、並びに最も好ましくは−ＳＯ３−Ｍ＋及び−ＣＯ２−Ｍ＋であり、その際、Ｒ３は、１〜４の炭素原子を含有するアルキル鎖であり、Ｍは、漂白活性化剤に安定性を提供するカチオンであり、Ｘは、漂白活性化剤に安定性を提供するアニオンである。好ましくは、Ｍはアルカリ金属、アンモニウム、または置換型アンモニウムカチオンであり、ナトリウム及びカリウムが最も好ましく、Ｘはハロゲン化物、水酸化物、硫酸メチル、またはアセテートアニオンである。
【０１１５】  アミド置換型アルキル過オキシ酸前駆体
以下の一般式のものを包含するアミド置換型アルキル過オキシ酸前駆体化合物は本明細書において好適である。
【０１１６】
【化９】
0005490344.tif 000010
式中、Ｒ１は、１〜１４個の炭素原子を有するアルキル基であり、Ｒ２は、１〜１４個の炭素原子を含有するアルキレン基であり、Ｒ５は、Ｈまたは１〜１０個の炭素原子を含有するアルキル基であり、Ｌは本質的にいかなる脱離基であることもできる。この種類のアミド置換型漂白活性化化合物が欧州特許第０１７０３８６号に記載されている。
【０１１７】  予備形成有機過オキシ酸
有機過オキシ酸漂白系は予備形成有機過オキシ酸を含有してもよい。
【０１１８】  有機過オキシ酸化合物の好ましい部類は、以下の一般式のアミド置換型化合物である。
【０１１９】
【化１０】
0005490344.tif 000011
式中、Ｒ１は、１〜１４個の炭素原子を有するアルキル基、アリール基、若しくはアルカリール基であり、Ｒ２は、１〜１４個の炭素原子を含有するアルキレン基、アリーレン基、及びアルカリーレン基であり、Ｒ５はＨ、または１〜１０個の炭素原子を含有するアルキル基、アリール基、若しくはアルカリル基である。この種類のアミド置換型有機過オキシ酸化合物が欧州特許第０１７０３８６号に記載されている。
【０１２０】  その他の有機過オキシ酸には、ジアシル及びテトラアシルペルオキシド類、とりわけ、ジペルオキシドデカン二酸、ジペルオキシテトラデカン二酸、及びジペルオキシヘキサデカン二酸が挙げられる。モノ−及びジペルアゼライン酸、モノ−及びジペルブラシル酸、並びにＮ−フタロイルアミノペルオキシカプロン酸も、本発明に好適である。
【０１２１】  キレート剤または重金属イオン封鎖剤
本明細書の組成物は、好ましくは任意成分としてキレート剤または重金属イオン封鎖剤を含む。重金属イオン封鎖剤は本明細書において重金属イオンを封鎖する（キレート）作用を行う構成成分を意味する。これらの構成成分はカルシウム及びマグネシウムキレート能力を有するものでもよいが、それらは優先的に鉄、マンガン及び銅などの重金属イオンと結合する選択性を示す。
【０１２２】  重金属イオン封鎖剤は、一般に本明細書の組成物の０．０５重量％〜２重量％、好ましくは０．１重量％〜１．５重量％、さらに好ましくは０．２５重量％〜１．２重量％、最も好ましくは０．５重量％〜１重量％の濃度で存在する。
【０１２３】  本明細書の使用に好適な重金属イオン封鎖剤としては、アミノアルキレンポリ（アルキレンホスホネート）、アルカリ金属エタン１−ヒドロキシビスホスホネート類、及びニトリロトリメチレンホスホネート類などの有機ホスホネート類が挙げられる。
【０１２４】  上記の種類の中で好ましいのは、ジエチレントリアミンペンタ（メチレンホスホネート）、エチレンジアミントリ（メチレンホスホネート）、ヘキサメチレンジアミンテトラ（メチレンホスホネート）、及びヒドロキシ−エチレン１，１ジホスホネートである。
【０１２５】  本明細書の使用に好適なその他の重金属イオン封鎖剤としては、ニトリロ三酢酸、及びエチレンジアミン四酢酸、エチレントリアミン五酢酸、エチレンジアミン二コハク酸、エチレンジアミン二グルタル酸、２−ヒドロキシプロピレンジアミン二コハク酸などのポリアミノカルボン酸、またはそれらのいずれかの塩が挙げられる。とりわけ好ましいのは、エチレンジアミン−Ｎ，Ｎ’−二コハク酸（ＥＤＤＳ）、またはアルカリ金属、アルカリ土類金属、アンモニウム、またはそれらの置換型アンモニウム塩若しくは混合物である。
【０１２６】  本明細書の使用に好適なその他の重金属イオン封鎖剤は欧州特許第３１７，５４２Ａ号及び欧州特許第３９９，１３３Ａ号に記載されている２−ヒドロキシエチル二酢酸またはグリセリルイミノ二酢酸などのイミノ二酢酸誘導体である。欧州特許第５１６，１０２Ａ号に記載のイミノ二酢酸−Ｎ−２−ヒドロキシプロピルスルホン酸及びアスパラギン酸Ｎ−カルボキシメチルＮ−２−ヒドロキシプロピル−３−スルホン酸金属イオン封鎖剤も本明細書に好適である。欧州特許第５０９，３８２Ａ号に記載のβ−アラニン−Ｎ，Ｎ’−二酢酸、アスパラギン酸−Ｎ，Ｎ’−二酢酸、アスパラギン酸−Ｎ−一酢酸及びイミノ二コハク酸金属イオン封鎖剤もまた好適である。
【０１２７】  欧州特許第４７６，２５７Ａ号には好適なアミノベースの金属イオン封鎖剤が記載されている。欧州特許第５１０，３３１Ａ号にはコラーゲン、ケラチン、またはカゼインから誘導される好適な金属イオン封鎖剤が記載されている。欧州特許第５２８，８５９Ａ号には好適なアルキルイミノ二酢酸金属イオン封鎖剤が記載されている。ジピコリン酸及び２−ホスホノブタン−１，２，４−トリカルボン酸もまた好適である。グリシナミド−Ｎ，Ｎ’−二コハク酸（ＧＡＤＳ）、エチレンジアミン−Ｎ，Ｎ’−二グルタル酸（ＥＤＤＧ）及び２−ヒドロキシプロピレンジアミン−Ｎ，Ｎ’−二コハク酸（ＨＰＤＤＳ）もまた好適である。
【０１２８】  酵素
本明細書の組成物に有用なその他の好ましい任意成分は、１つ以上の付加的な酵素である。
【０１２９】  好ましい付加的な酵素物質としては、市販のリパーゼ、クチナーゼ、アミラーゼ、中性及びアルカリプロテアーゼ、エステラーゼ、セルラーゼ、ペクチナーゼ、ラクターゼ、及び組成物に汎用に混合されるペルオキシダーゼが挙げられる。好適な酵素は米国特許第３，５１９，５７０号及び第３，５３３，１３９号に記載されている。
【０１３０】  好ましい市販されているプロテアーゼ酵素としては、ノヴォ・インダストリー（Novo Industries）Ａ／Ｓ（デンマーク）より商品名アルカラーゼ（Alcalase）、サビナーゼ（Savinase）、プリマ−ゼ（Primase）、デュラジン（Durazym）、及びエスペラーゼ（Esperase）として販売されているもの、ジネンコー・インターナショナル（Genencor International）、ギスト−ブロケード（Gist-Brocades）より商品名マクサターゼ（Maxatase）、マクサカール（Maxacal）、及びマクサペン（Maxapem）として販売されているもの、ソルベイ・エンザイム（Solvay Enzymes）より商品名オプティクリーン（Opticlean）及びオプティマーゼ（Optimase）として販売されているものが挙げられる。プロテアーゼ酵素は本明細書の組成物に、組成物の０．０００１重量％〜約４重量％の活性酵素濃度で混合されてもよい。
【０１３１】  好ましいアミラーゼは、例えば、英国特許第１，２６９，８３９号（ノボ）（Novo）により詳細に記載されているＢリケニフォルミス（licheniformis）の特種株より得られるα−アミラーゼが挙げられる。市販されている好ましいアミラーゼとしては、例えば、ギスト−ブロケード（Gist-Brocades）により商品名ラピダーゼとして販売されているもの、及びノヴォ・インダストリー（Novo Industries）Ａ／Ｓより商品名ターマミル（Termamyl）及びバン（BAN）として販売されているものが挙げられる。アミラーゼ酵素は本明細書の組成物に、組成物の０．０００１重量％〜２重量％の活性酵素濃度で混合されてもよい。
【０１３２】  脂質分解酵素は、粒子の０．０００１重量％〜１０重量％、好ましくは組成物の０．００１重量％〜３重量％、最も好ましくは組成物の０．００１重量％〜０．５重量％の活性脂質分解酵素の濃度で存在してもよい。
【０１３３】  リパーゼは、例えば、ヒューミコラ（Humicola）種、サーモマイセス（Thermomyces）種、またはシュードモナス（Pseudomonas）シュードアルカリジーンズ（pseudoalcaligenes）またはシュードモナスフルオレセンス（Pseudomas fluorescens）を包含するシュードモナス（Pseudomonas）種から得られるものを起源とした真菌性または細菌性であってよい。化学的または遺伝子的に修飾されたこれらの株の変種からのリパーゼも本明細書において有用である。好ましいリパーゼはシュードモナス（Pseudomonas）シュードアルカリジーンズ（pseudoalcaligenes）から誘導されたもので、欧州特許第０２１８２７２Ｂ号に記載されている。
【０１３４】  本明細書において好適な他のリパーゼは、欧州公開特許第０２５８０６８号に記載されているように、ヒューミコラ（Humicola）ラヌギノーサ（lanuginosa）からの遺伝子のクローニング及びホストとしてのアスペルギルス（Aspergillus）オリザ（oryza）における遺伝子の発現によって得られ、ノヴォ・インダストリー（Novo Industries）Ａ／Ｓ、デンマーク、バグスバードより商品名リポラーゼとして市販されている。このリパーゼは、また、米国公開特許第４，８１０，４１４号（ヒュージ−ジェンセン（Huge-Jensen）ら、１９８９年、３月７日出願）にも記載されている。
【０１３５】  泡抑制系
本組成物は本組成物の１０重量％未満、好ましくは０．００１重量％〜１０重量％、好ましくは０．０１重量％〜８重量％、最も好ましくは０．０５重量％〜５重量％の濃度の泡抑制剤を含んでもよい。好ましくは、泡抑制剤は石鹸、パラフィン、ろう、またはこれらのいずれかの組み合わせのどれかである。泡抑制剤が泡抑制シリコーンである場合、洗剤組成物は好ましくは０．００５重量％〜０．５重量％の泡抑制シリコーンを含む。
【０１３６】  本明細書の使用に好適な泡抑制系は、例えば、本質的に、シリコーン発泡防止化合物及び２−アルキルアルカノール発泡防止化合物を包含するいずれかの既知の発泡防止化合物を含んでもよい。
【０１３７】  発泡防止化合物は、本明細書において本明細書の組成物の溶液によって生成される、特に溶液の攪拌の存在下で生成される発泡または泡を抑制するように作用するいずれかの化合物または化合物の混合物を意味する。
【０１３８】  本明細書の使用に特に好ましい発泡防止化合物は、シリコーン構成成分を包含したいずれかの発泡防止化合物として本明細書で定義されるシリコーン発泡防止化合物である。かかるシリコーン発泡防止化合物も典型的にはシリカ構成成分を含有する。用語「シリコーン」は本明細書で使用する時、及び一般的に産業界においては、シロキサン単位及び多様な種類のヒドロカルビル基を含有する多様な比較的高分子量のポリマーを包含する。好ましいシリコーン発泡防止化合物はシロキサン、特にトリメチルシリル末端ブロック単位を有するポリジメチルシロキサン類である。好ましくは本明細書の組成物は０．００５重量％〜０．５重量％の泡抑制シリコーンを含む。
【０１３９】  特に液体成分における他の好適な発泡防止化合物としては、モノカルボキシル脂肪酸及びこれらの可溶性塩が挙げられる。これらの物質はウェインＳｔ．ジョン（Wayne St.John）に１９６０年９月２７日に付与された米国特許第２，９５４，３４７号に記載されている。泡抑制剤として用いられるモノカルボキシル脂肪酸及びその塩は典型的には、１０〜２４個の炭素原子、好ましくは１２〜１８個の炭素原子のヒドロカルビル鎖を有する。好適な塩には、ナトリウム塩、カリウム塩、及びリチウム塩ようなアルカリ金属塩、並びにアンモニウム塩及びアルカノールアンモニウム塩が挙げられる。
【０１４０】  他の好適な発泡防止剤化合物としては、例えば、高分子量脂肪酸エステル類（例えば、脂肪酸トリグリセリド類）、一価アルコールの脂肪酸エステル類、脂肪族Ｃ１８〜Ｃ４０ケトン類（例えば、ステアロン）、塩化シアヌルと２モルまたは３モルの１〜２４個の炭素原子を含有する一級または二級アミンの生成物として形成されるトリ−〜ヘキサ−アルキルメラミン類またはジ−〜テトラアルキルジアミンクロルトリアジン類などのＮ−アルキル化アミノトリアジン類、プロピレンオキシド、ビスステアリン酸アミド及びモノステアリルジアルキル金属（例えば、ナトリウム、カリウム、リチウム）ホスフェート類並びにホスフェートエステル類が挙げられる。
【０１４１】  固体成分の包含に特に好ましい泡抑制系は以下のものを含む。
【０１４２】  （ａ）発泡防止化合物、好ましくはシリコーン発泡防止化合物、最も好ましくは以下を組み合わせて含むシリコーン発泡防止化合物：
（ｉ）シリコーン発泡防止化合物の５０重量％〜９９重量％、好ましくは７５重量％〜９５重量％の濃度のポリメチルシロキサン；及び
（ｉｉ）発泡防止化合物の１重量％〜５０重量％、好ましくは５重量％〜２５重量％の濃度のシリカ；
その際、前記シリカ／シリコーン発泡防止化合物は５重量％未満、好ましくは０．０１重量％〜５重量％、より好ましくは０．０５重量％〜４重量％、さらにより好ましくは０．１重量％〜３重量％の濃度で混合される；
（ｂ）最も好ましくは、ポリオキシアルキレン含量７２−７８％及びエチレンオキシドとプロピレンオキシドの比が１：０．９〜１：１．１のシリコーングリコールレーキ型コポリマーを５重量％未満、好ましくは０．０１〜５重量％、より好ましくは０．０５重量％〜４重量％、さらにより好ましくは０．１重量％〜３重量％含む分散剤化合物；この種類の最も好ましいシリコーングリコールレーキ型コポリマーは商品名ＤＣＯ５４４でダウ・コーニング（DOW Corning）から入手可能なものである；
（ｃ）最も好ましくは５〜５０、好ましくは８〜１５のエトキシ化度のＣ１６〜Ｃ１８エトキシ化アルコールを５重量％未満、好ましくは０．０１重量％〜５重量％、より好ましくは０．０５重量％〜４重量％、さらにより好ましくは０．１重量％〜３重量％の濃度で含む不活性キャリア流体化合物；
非常に好ましい粒子状泡抑制系が欧州特許第０２１０７３１Ａ号に記載されており、シリコーン発泡防止化合物及び５０℃〜８５℃の範囲の融点を有する有機キャリア物質を含むが、その際有機キャリア物質はグリセロールのモノエステル及び１２〜２０個の炭素原子を含有する炭素鎖を有する脂肪酸を含む。欧州特許第０２１０７２１号には、有機キャリア物質が１２〜２０個の炭素原子を含有する炭素鎖を有する脂肪酸若しくはアルコール、またはこれらの混合物である融点が４５℃〜８０℃である他の好ましい粒子状泡抑制系について開示されている。
【０１４３】  ポリマー染料付着阻害剤
本明細書の組成物は０．０１重量％〜１０重量％、好ましくは０．０５重量％〜０．５重量％のポリマー染料付着阻害剤を含んでもよい。これらのポリマー染料付着阻害剤は水溶性フィルムのポリマー物質に添加する。
【０１４４】  ポリマー染料付着阻害剤は、好ましくはポリアミンＮ−オキシドポリマー類、Ｎ−ビニルピロリドン及びＮ−ビニルイミダゾールのコポリマー類、ポリビニルピロリドンポリマー類またはこれらの組み合わせから選択される。
【０１４５】  ａ）ポリアミンＮ−オキシドポリマー類
本明細書の使用に好適なポリアミンＮ−オキシドポリマー類は以下の構造式を有する単位を含有する。
【０１４６】
【化１１】
0005490344.tif 000012
式中、Ｐは重合可能な単位であり、
【化１２】
0005490344.tif 000013
Ｒは、脂肪族、エトキシ化脂肪族、芳香族、複素環式若しくは脂環式の基、またはいずれかのそれらの組み合わせであり、Ｎ−Ｏ基の窒素は結合することができるか、またはＮ−Ｏ基の窒素はこれらの基の一部である。
【０１４７】  Ｎ−Ｏ基は以下の一般構造で示すことができ、
【化１３】
0005490344.tif 000014
式中、Ｒ１、Ｒ２及びＲ３は脂肪族基、芳香族、複素環式若しくは脂環式基、またはこれらの組み合わせであり、ｘまたは／及びｙまたは／及びｚは０若しくは１、並びにその際Ｎ−Ｏ基の窒素は結合できるか、またはこれらの基の一部を形成する。Ｎ−Ｏ基は重合可能な単位（Ｐ）の一部、、またはポリマーの主鎖、または両方の組み合わせであることもできる。
【０１４８】  Ｎ−Ｏ基が重合可能な単位の一部を形成する好適なポリアミンＮ−オキシド類は、Ｒが脂肪族、芳香族、脂環式または複素環式基から選択されるポリアミンＮ−オキシド類を含む。該ポリアミンＮ−オキシド類の１つの部類は、Ｎ−Ｏ基の窒素がＲ−基の一部を形成するポリアミンＮ−オキシドの群を含む。好ましいポリアミンＮ−オキシドは、Ｒがピリジン、ピロール、イミダゾール、ピロリジン、ピペリジン、キノリン、アクリジン及びこれらの誘導体などの複素環式基であるものである。
【０１４９】  他の好適なポリアミンＮ−オキシド類は、Ｎ−Ｏ基が重合可能な単位に結合するポリアミンオキシド類である。これらのポリアミンＮ−オキシド類の好ましい部類は、Ｒが芳香族、複素環式または脂環式基である一般式（Ｉ）を有するポリアミンＮ−オキシド類を含み、その際Ｎ−Ｏ官能基の窒素は該Ｒ基の一部である。これらの部類の実施例は、Ｒがピリジン、ピロール、イミダゾール及びこれらの誘導体などの複素環式化合物であるポリアミンオキシド類である。
【０１５０】  ほとんどいかなる重合度においてもポリアミンＮ−オキシド類を得ることができる。重合度は物質が望ましい水溶解度及び染料懸濁粉末を有する場合には臨界ではない。典型的には、平均分子量は５００〜１０００，０００の範囲内である。
【０１５１】  ｂ）Ｎ−ビニルピロリドン及びＮ−ビニルニルイミダゾールのコポリマー
本明細書に好適なのは５，０００〜５０，０００の範囲の平均分子量を有するＮ−ビニルイミダゾール及びＮ−ビニルピロリドンのコポリマーである。好ましいコポリマーはＮ−ビニルイミダゾールとＮ−ビニルピロリドンのモル比が１〜０．２である。
【０１５２】  ｃ）ポリビニルピロリドン
本明細書の組成物は平均分子量２，５００〜４００，０００を有するポリビニルピロリドン（「ＰＶＰ」）も使用してもよい。好適なポリビニルピロリドン類はＩＳＰ社（ニューヨーク及びカナダ、モントリオール）より商品名ＰＶＰ  Ｋ−１５（粘度分子量１０，０００）、ＰＶＰ  Ｋ−３０（平均分子量４０，０００）、ＰＶＰ  Ｋ−６０（平均分子量１６０，０００）、及びＰＶＰ  Ｋ−９０（平均分子量３６０，０００）で市販されている。ＰＶＰ  Ｋ−１５はＩＳＰ社からも入手可能である。ＢＡＳＦ社から市販されている他の好適なポリビニルピロリドン類としてはソカラン（Sokalan）ＨＰ１６５及びソカランＨＰ１２が挙げられる。
【０１５３】  ｄ）ポリビニルオキサゾリドン
本明細書の組成物はポリマー染料付着阻害剤のようなポリビニルオキサゾリドンを使用してもよい。該ポリビニルオキサゾリドンは平均分子量２，５００〜４００，０００を有する。
【０１５４】  ｅ）ポリビニルイミダゾール
本明細書の組成物はポリマー染料付着阻害剤としてポリビニルイミダゾールも使用してもよい。該ポリビニルイミダゾール好ましくは平均分子量２，５００〜４００，０００を有する。
【０１５５】  光学的増白剤
本明細書の組成物は、０．００５重量％〜５重量％のある種の親水性光学的増白剤を任意に含んでもよい。
【０１５６】  本明細書で有用な親水性光学的増白剤には、以下の構造式を有するものが挙げられる。
【０１５７】
【化１４】
0005490344.tif 000015
式中、Ｒ１は、アニリノ、Ｎ−２−ビス−ヒドロキシエチル、及びＮＨ−２−ヒドロキシエチルから選択され、Ｒ２は、Ｎ−２−ビス−ヒドロキシエチル、Ｎ−２−ヒドロキシエチル−Ｎ−メチルアミノ、モルフィリノ、クロロ、及びアミノから選択され、並びにＭはナトリウムまたはカリウムなどの塩を形成するカチオンである。
【０１５８】  前記式において、Ｒ１がアニリノ、Ｒ２がＮ−２−ビス−ヒドロキシエチル、並びにＭがナトリウムのようなカチオンである時、増白剤は４，４’−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩である。この特定の増白剤種は、チバーガイギー・コーポレーション（Ciba-Geigy Corporation）からチノパル（Tinopal）−ＵＮＰＡ−ＧＸの商品名で市販されている。チノパル（Tinopal）−ＵＮＰＡ−ＧＸは、本明細書の組成物において有用な、好ましい親水性光学的増白剤である。
【０１５９】  前記式において、Ｒ１がアニリノ、Ｒ２がＮ−２−ヒドロキシエチル−Ｎ−２−メチルアミノ、及びＭがナトリウムのようなカチオンである場合、増白剤は４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム塩である。この特定の増白剤種は、チバ−ガイギー・コーポレーション（Ciba-Geigy Corporation）からチノパル（Tinopal）−５ＢＧ−ＧＸの商品名で市販されている。
【０１６０】  前記式において、Ｒ１がアニリノ、Ｒ２がモルフィリノ、及びＭがナトリウムのようなカチオンである場合、増白剤は４，４’−ビス［（４−アニリノ−６−モルフィリノ−ｓ−トリアジン−２−イル）アミノ］２，２’−スチルベンジスルホン酸ナトリウム塩である。この特定の増白剤種は、チバ−ガイギー・コーポレーション（Ciba-Geigy Corporation）からチノパル（Tinopal）−ＡＭＸ−ＧＸの商品名で市販されている。
【０１６１】  他の任意成分
本明細書の組成物に包含されるのに好適な他の任意成分としては、香料、着色剤及び充填剤塩が挙げられ、スルフェートナトリウムが好ましい充填剤塩である。
【０１６２】  洗濯洗浄方法
好ましくは、複数区画小袋は洗濯サイクルに固体洗剤成分及び液体洗剤成分を運搬するために水中で溶解または分散する。典型的には、複数区画小袋は自動洗濯機の計量分配引出し、または別の方法では槽に加える。
【０１６３】  好ましくは、複数区画小袋は、洗濯に使用する洗剤組成物の全ての洗剤成分を含む。複数区画小袋に含まれず、洗濯サイクルに別々に加えられるいくつかの洗剤成分があるのが好ましい可能性もあるが。加えて、複数区画小袋に含まれる洗剤組成物以外の１つ以上の洗剤組成物を洗濯工程の間使用でき、該複数区画小袋に含まれる洗剤組成物は洗濯工程などの際の前処理、主要処理、後処理またはこれらの組み合わせとして使用してもよい。
【０１６４】    （実施例）
実施例Ｉ
一片のプラスティックを一時的な底部として作用させるために型に設置する。型は円筒形であり、直径４５ｍｍ及び深さ２５ｍｍを有する。１ｍｍの厚さのゴムが型の縁の周囲に存在する。型は真空を適用するために型物質中に幾つかの孔を有する。設置した一時的な底部による型の深さは１２ｍｍである。一片のクリス−クラフト（Chris-Craft）Ｍ−８６３０フィルムをこの型の頂上部に設置し、そこに固定する。真空を適用してフィルムを型に引っ張り、型並びに一時的な底部の内部表面とぴったりと重なるように引っ張る。洗剤組成物の液体成分５ｍｌを型に注ぐ。次に、クリス−クラフト（Chris-Craft）Ｍ−８６３０フィルム第二片を液体成分と共に型の頂上部に設置し、内部直径４６ｍｍの平板金属の環状片を適用し、に型の縁部分における環状ゴム上で適度な圧力下で金属を加熱することによってフィルム第一片を密封し、それによって２片のフィルムを加熱密封して液体成分を含む区画を形成する。金属環は典型的に１３５℃〜１５０℃の温度で加熱し、最長５秒適用する。
【０１６５】  液体区画を含む区画を型から除去し、一時的な底部として作用するプラスティック片を型から除去する。クリス−クラフト（Chris-Craft）Ｍ−８６３０フィルム第三片をこの型の頂上部に設置し、そこに固定する。真空を適用してフィルムを型に引っ張り、型の内部表面とぴったりと重なるように引っ張る。洗剤組成物の固体成分４０ｇを型に注ぐ。次に、液体成分を含む区画を固体成分と共に型の頂上部に設置し、内部直径４６ｍｍの平板金属の環状片を適用し、型の縁部分の環状ゴムにおいて適度な圧力下で金属を加熱することによってフィルムの第三層を密封し、それによってフィルム片を加熱密封して２つの区画を含む小袋を形成するが、その際第一区画は洗剤組成物の液体成分を含み、第二区画は洗剤組成物の固体成分を含む。金属環は典型的に１３５℃〜１５０℃の温度で加熱し、最長５秒適用する。
【０１６６】  実施例ＩＩ
小袋は以下の液体成分及び固体成分を含む実施例Ｉに記載されている工程によって製造した。
【０１６７】
【表１】
0005490344.tif 000016
【表２】
0005490344.tif 000017
実施例ＩＩＩ
小袋は以下の液体成分及び固体成分を含む実施例Ｉに記載されている工程によって製造した。
【０１６８】
【表３】
0005490344.tif 000018
【表４】
0005490344.tif 000019